(57)【要約】【課題】  厨芥粉砕処理装置の運転使用にさいし、その騒音や振動がシンク側へ可及的に伝搬したりしないようにする提案。【解決手段】  装置本体を上部ケースと下部ケースで二分割される構成となすと共に、上記上部ケースの全体を弾性体で作成する。このさい、上部ケースの上端部は流し台シンクの底面排水管口の下端部外周に適合する筒状縁部に形成し、該筒状縁部を上記排水管口の下端外周部に当接させ、締付けバンドで脱着自在に取付けるのであり、また上部ケースと下部ケースの対合面を前者が下向き凸で後者が上向き凹の接合面となるように形成すると共に、上記上部ケースの凸部を弾性体の上部ケース下面に対しこれと一体成形し、上記両者の対合面にパッキンを介在させないものとしたり、上部ケースの上方で且つシンク底面排水管口と当接する筒状縁部より少し下方箇所付近に対し、凹凸のくびれ部を形成させたりする。【選択図】      図１
2006175401.tif 000002
【特許請求の範囲】
【請求項１】
流し台シンクの底面排水管口の下部に取付ける厨芥粉砕処理装置に於いて、装置本体を上部ケースと下部ケースで二分割される構成となすと共に、上記上部ケースの全体を弾性体で作成したことを特徴とする厨芥粉砕処理装置。
【請求項２】
上部ケースの上端部を流し台シンクの底面排水管口の下端部外周に適合する筒状縁部に形成し、該筒状縁部を上記排水管口の下端外周部に当接させ、締付けバンドで脱着自在に取付けたことを特徴とする請求項１記載の厨芥粉砕処理装置。
【請求項３】
上部ケースと下部ケースの対合面を前者が下向き凸で後者が上向き凹の接合面となるように形成すると共に、上記上部ケースの凸部を弾性体の上部ケース下面に対しこれと一体成形し、上記両者の対合面にパッキンを介在させないものとしたことを特徴とする請求項１又は２記載の厨芥粉砕処理装置。
【請求項４】
上部ケースの上方で且つシンク底面排水管口と当接する筒状縁部より少し下方箇所付近に対し、凹凸のくびれ部を形成させたことを特徴とする請求項２又は３記載の厨芥粉砕処理装置。
【請求項５】
上部ケースの内周面に対し、これと接触する如くなすと共に、内方を円滑面となした逆漏斗形状の保持体を添設させたことを特徴とする請求項１，２，３又は４記載の厨芥粉砕処理装置。
【発明の詳細な説明】
【技術分野】
【０００１】
本発明は流し台シンクの底面排水口の下側へ取付けて使用する厨芥粉砕処理装置に関する。
【背景技術】
【０００２】
厨芥粉砕処理装置の防振技術としては、流し台のシンクの底面排水管口と厨芥粉砕処理装置本体（ディスポーザ本体）とを継ぎ手部材で締付けバンドの使用により、或いは吊り金具やバネなどを使用して行われている。
図５は上記した従来に於ける継ぎ手部材ｋの使用で、これを締付けバンドＰで取付けた例を示すものである。
【特許文献１】特開２００４−０６６０３３
【発明の開示】
【発明が解決しようとする課題】
【０００３】
運転中の厨芥粉砕処理装置本体の振動は粉砕のメカニズム上から必然的に発生するものとなる。而して、振動の伝搬により騒音も発生することから、これらを少しでもシンクに伝えないようにすることが厨芥粉砕処理装置本体を効率良く且つより快適に運転使用することができるものとなる。本発明はこの問題を解決せんとするものである。
【課題を解決するための手段】
【０００４】
本発明は、流し台シンク底面排水管口の下部に取付ける厨芥粉砕処理装置に於いて、装置本体を上部ケースと下部ケースで二分割される構成となすと共に、上記上部ケースの全体を弾性体で作成する。而して、このさい上部ケースの上端部を流し台シンクの底面排水管口の下端部外周に適合する筒状縁部に形成し、該筒状縁部を上記排水管口の下端外周部へ直接に当接させ、締付けバンドで脱着自在に取付けたり、上部ケースと下部ケースの対合面を前者が下向きの凸で後者が上向きの凹の接合面となるように形成すると共に、上記上部ケースの凸部を弾性体の上部ケース下面に対しこれと一体成形し、上記両者の対合面にパッキンを介在させないものとしたりする。また、上部ケースの上方で且つシンク底面排水管口と当接する筒状縁部より少し下方箇所付近に対し、凹凸のくびれ部を形成させた構成になしたりする。
また、上部ケースの内周面に於ける少なくとも中間部分に対し、これと一部或いは大部分が接触する如くなした逆漏斗形状の内部保持体を添設させたりする。
【発明の効果】
【０００５】
請求項１記載の発明によれば、従来の運転中のに必然的に発生する振動が、シンクに伝搬して騒音を発生させたりしていたことを簡便且つ効果的に防止したり軽減させることができるものとなる。
請求項２記載の発明によれば、従来のものに比べてシンク下方の空間内へ厨芥粉砕処理装置の取付け長さを短くし、コンパクトな収納を可能にすることができるものとなる。
請求項３記載の発明によれば、厨芥粉砕処理装置の部品点数を削減すると共に、その取付け作業や保守管理が容易となり、且つコストダウンに貢献するものとなる。
請求項４記載の発明によれば、請求項１で得られる防振効果がより一層効果的に向上するものとなる。
請求項５記載の発明によれば、装置の取扱い容易性と耐久性の向上に寄与するものとなる。
請求項５記載の発明によれば、上部ケースの耐久性を向上させるほか、粉砕室内に於ける運転中及び運転後の滞留物の減少寄与に貢献するものとなる。
【発明を実施するための最良の形態】
【０００６】
図１は本発明に係る厨芥粉砕処理装置を示す一部破断説明図であり、図２〜図４は他の実施態様例を説明するためのものである。各図に於いて１は厨芥粉砕処理装置本体（ディスポーザ）であって、破砕機構を内蔵した下部ケース１ａと上部ケース１ｂで以って二分割される構成で、２は両者を一体的に結合させるためのボルトとナットの結合手段である。なお、全体図示を省略してあるが３は流し台のシンク底面、４は該シンク底面の排水管口である。
【０００７】
上記構成は従来装置のものと変わりがないが、本発明装置では上記厨芥粉砕処理装置１の上部ケース１ｂ全体を合成ゴムなどの弾性体で作成するものとなしてある。このさい、粉砕刃やその駆動部を収蔵してなる下部ケース１ａは従来と変わらない剛体材質のものから成るが、本発明装置では上記構成の上部ケース１ｂと下部ケース１ａの対合面を、前者が下向きの凸ｖで後者が上向きの凹ｗとなる対合面を形成するようになすのであり、而して弾性体で一体形成された上部ケース１ｂの凸部ｖが下部ケースの凹部ｗに嵌入されるようになし、これによりシール用のパッキン材を使用しないものにするのである。
【０００８】
ところで上記構成の上部ケース１ｂは、その筒状となした上面部の内周径をシンク底面３の排水管口４の下方筒状縁部外周面ｍと同等径に作成し、該外周面ｍに対し直接的に当接させると共に、その外周面ｍを締付けバンド５で締付けて止着させるようになすのである。
【０００９】
図２は本発明の他の実施例を示すものであって、即ち本例では上部ケース１ｂの上方で且つシンク底面の排水管口４と当接する筒状縁部より少し下方箇所付近に対し、凹凸のくびれ部６を形成させるのであり、このものでは下部ケース１ａからの振動が該くびれ部６を介して伝搬されることから、上記した図１のものに比べてより大きな減衰作用が得られるものとなる。
【００１０】
図３は更に他の例を示すものであって、即ち図２では上記凹凸のくびれ部６を垂直方向に形成させたものであるのに対し、本例では水平方向に形成させたものである。而して、その作用効果は上例のものと同様である。
【００１１】
本発明では厨芥粉砕処理装置の上部ケース１ｂを弾性体で作成し、且つシンク底面の排水管口４へ直接的に取付けることを特徴とするが、このさい上記弾性体は一定限度の必要な硬度が要求されるものとなるのであり、従ってその硬度補強のために上部ケース１ｂ内に対し、アルミやプラスチック等による保持板をその内方へ設けたりすることも差し支えない。図４はその例を示すものであり、本図で７はその内部保持板である。ここに該保持板７は上部ケース１ｂの内部形状と凡そ一致する如き逆漏斗形状のものに形成されるのであり、且つその取付けは任意になし得るが、本例では下方端縁部へ張出状に鍔片ｅを形成し、該鍔片ｅを上部ケース１ｂと下部ケース１ａとの接合面で挟着されることにより保持される構成になしてある。而して、この保持板７の上縁は排水管口４へ取付けたりされないのであり、即ち排水管口４の下端ｇとの間には一定間隙ｓが形成されるものとなされるのである。
【００１２】
上記の図４で示した内部保持板７は、その下端縁部に形成した鍔片ｅを下部ケース１ａと上部ケース１ｂとの接合面で挟圧保持させるものについて示したが、斯有る鍔片ｅを設けたりすることなく、例えば接着剤により上部ケース１ｂの内周面と部分的に接着されることにより保持されるようになさしても良く、或いは漏斗形状の縦方向に対しスリットを形成させ、且つ該保持板自体を外方へ向かう弾性材のものを使用することにより、自動的な係止保持作用が行われるものになしたりすることも差し支えない。
【００１３】
而して、上記例によると上部ケースの弾性体を天然ゴムやシリコンなどの軟弾性としたものの使用も可能とすることができるのであり、また上部ケースの内面が該保持板の介在により平滑な円滑面に形成されることから、厨芥粉砕処理装置の運転中に於ける滞留物飛散による付着問題の減少や運転後の清掃を容易にするなどの点で寄与するものとなる。
【００１４】
また、本発明装置で上部ケース１ｂをシンク底面排水管口４に対し従来の如く継ぎ手部材を何ら使用しないで取付けできることは、シンク下方に於ける収納の高さ寸法が少なくて済むことから、全体的にコンパクトな配置を可能にする上で貢献できるものとなる。
【図面の簡単な説明】
【００１５】
【図１】本発明に係る厨芥粉砕処理装置を示す一部破断説明図である。
【図２】他の例を示す一部破断説明図である。
【図３】他の例を示す一部破断説明図である。
【図４】他の例を示す一部破断説明図である。
【図５】従来例を示す一部破断説明図である。
【符号の説明】
【００１６】
１      厨芥粉砕処理装置
１ａ    下部ケース
１ｂ    上部ケース
２      ボルトとナット
３      シンク底面
４      排水管口
５      締付けバンド
６      凹凸のくびれ部
７      保持体
【図１】
2006175401.tif 000003
【図２】
2006175401.tif 000004
【図３】
2006175401.tif 000005
【図４】
2006175401.tif 000006
【図５】
2006175401.tif 000007